(57)【要約】【課題】  一升瓶専用の保冷容器として、一升瓶と保冷剤を収納し、携行し易く、保冷容器内から一升瓶を出し入れすることが容易で、一升瓶の取出し時に、一升瓶を不用意に落下し難く、一升瓶が外部からの衝撃を受け難い保冷容器を提供すること。【解決手段】保冷容器は、一升瓶３と保冷剤４を収納し、保冷容器の携行時に、一升瓶３の開口部３ａを上に向けて直立した状態で保持可能であり、保冷容器の取っ手部１ｂを一升瓶３の開口部３ａの上方、かつ、一升瓶３と保冷剤４を収納した保冷容器の重心７の直上に備え、保冷容器は一升瓶３の長手方向に本体部と蓋に分割され、取っ手部１ｂを備えた面の反対面の保冷容器底部から見た場合に、外箱本体部１０と外箱蓋１１の分割は一升瓶の重心３ｂが外箱本体部１０側に位置するように保冷容器底部の分割境界１ｃをもつ。【選択図】図３
2017190185.tif 000002
【特許請求の範囲】
【請求項１】
一升瓶と保冷剤を収納する保冷容器であって、保冷容器の携行時に、一升瓶の開口部を上に向けて直立した状態で保持可能であり、一升瓶の開口部の上方、かつ、一升瓶と保冷剤を収納した保冷容器の重心の直上に取っ手部を備え、保冷容器は一升瓶の長手方向に本体部と蓋に分割され、取っ手部を備えた面の反対面の保冷容器底部から見た場合に、本体部と蓋の分割は一升瓶の重心が本体部側に位置するように分割境界をもつことを特徴とする保冷容器。
【請求項２】
請求項１において、前記保冷容器の取っ手部が本体部側と蓋側に分割されることを特徴とする保冷容器。
【請求項３】
請求項１又は２において、前記保冷容器の表面に商品説明等のラベルを備えることを特徴とする保冷容器。
【請求項４】
請求項１ないし３において、前記保冷容器は外部からの衝撃に対して、保冷容器内の一升瓶を保護する外装を備えることを特徴とする保冷容器。
【発明の詳細な説明】
【技術分野】
【０００１】  本発明は、保冷容器に関するものであり、詳しくは、一升瓶の携行に使用する保冷容器に関するものである。
【背景技術】
【０００２】  前記のような保冷容器には、特許文献１に記載されているような、発泡合成樹脂の内箱と未発泡合成樹脂の外箱の容器に取っ手部を備えた汎用の保冷容器がある。該保冷容器内には、一升瓶を横倒しに収納する。【０００３】  また、同様の目的で使用する保冷容器には、特許文献２に記載されているような、取っ手部を有する袋形状の収納内部に断熱機能を付属させた保冷容器がある。【０００４】  以上に述べた従来の保冷容器は、携行時の揺れで、保冷容器内で一升瓶の位置が決定せずに、一升瓶が移動して、保冷容器の重心がずれてしまい、保冷容器全体の揺れが大きくなり、携行性が不安定で、保冷容器の携行時に、保冷容器を周辺物に当ててしまう危険性がある。袋形状の保冷容器は外部からの衝撃に対して弱く、保冷容器が周辺物に衝突したときに一升瓶が破損してしまうことや、一升瓶を保冷容器内から取出す際に、一升瓶の長手方向に取出す場合があり、一升瓶の取出しが容易ではない。【０００５】  また、以上に述べた従来の保冷容器は、保冷容器を開かなければ一升瓶の内容物が確認できない。
【先行技術文献】
【特許文献】
【０００６】
【特許文献１】実公平６−２８４３４号公報
【特許文献２】実開平５−８１０７３号公報
【発明の概要】
【発明が解決しようとする課題】
【０００７】  本発明は以上に述べた問題点を解決するため、一升瓶専用の保冷容器として、一升瓶と保冷剤を収納し、携行し易く、保冷容器内から一升瓶を出し入れすることが容易で、一升瓶の取出し時に、一升瓶を不用意に落下し難く、保冷容器内から一升瓶を取出すことなく一升瓶の商品説明等のラベルが確認可能で、外部からの衝撃に対して一升瓶を保護する保冷容器を提供することにある。
【課題を解決するための手段】
【０００８】  上記の課題を解決するため、第１の発明は、一升瓶と保冷剤を収納する保冷容器であって、保冷容器の携行時に、一升瓶の開口部を上に向けて直立した状態で保持可能であり、一升瓶の開口部の上方、かつ、一升瓶と保冷剤を収納した保冷容器の重心の直上に取っ手部を備え、保冷容器は一升瓶の長手方向に本体部と蓋に分割され、取っ手部を備えた面の反対面の保冷容器底部から見た場合に、本体部と蓋の分割は一升瓶の重心が本体部側に位置するように分割境界をもつことを特徴とする。【０００９】  また、第２の発明は、第１の発明において、前記保冷容器の取っ手部が本体部側と蓋側に分割されることを特徴とする。【００１０】  また、第３の発明は、第１又は第２の発明において、前記保冷容器の表面に商品説明等のラベルを備えることを特徴とする。【００１１】  また、第４の発明は、第１ないし第３の発明において、前記保冷容器は外部からの衝撃に対して、保冷容器内の一升瓶を保護する外装を備えることを特徴とする。
【発明の効果】
【００１２】  請求項１の保冷容器によれば、一升瓶と保冷剤を収納し、保冷容器の携行時に、一升瓶の開口部を上に向けて直立した状態で保持可能であり、一升瓶の開口部の上方、かつ、一升瓶と保冷剤を収納した保冷容器の重心の直上に取っ手部を備えるため、一升瓶の安定した携行を可能とする。また、保冷容器は一升瓶の長手方向に本体部と蓋に分割されるため、保冷容器内から一升瓶を出し入れすることが容易である。さらに、取っ手部を備えた面の反対面の保冷容器底部から見た場合に、本体部と蓋の分割は一升瓶の重心が本体部側に位置するように分割境界をもつため、保冷容器内から一升瓶を取出す時に、一升瓶を不用意に落下し難い。【００１３】  請求項２の発明によれば、保冷容器の取っ手部が本体部側と蓋側に分割されており、取っ手部を手で握ることで保冷容器の蓋が閉じるため、保冷容器の携行時に、保冷容器内から一升瓶が不用意に落下し難い。【００１４】  請求項３の発明によれば、保冷容器の表面に商品説明等のラベルを備えるため、保冷容器を開かずに一升瓶の内容物が確認可能である。【００１５】  請求項４の発明によれば、保冷容器は外部からの衝撃に対して、保冷容器内の一升瓶を保護する外装を備えため、保冷容器内の一升瓶を保護可能である。
【図面の簡単な説明】
【００１６】
【図１】本発明の保冷容器から一升瓶と保冷剤を外した構成を示す斜視図。
【図２】本発明の保冷容器の主要部を示す斜視図。
【図３】本発明の保冷容器の外箱蓋を閉じた状態を示す斜視図（Ａ）、横側面図（Ｂ）および底面図（Ｃ）。
【発明を実施するための形態】
【００１７】  以下、本発明の保冷容器の実施形態を図面に基づいて説明する。
【００１８】  図１に示すように、外箱１は内箱２と一升瓶３、保冷剤４を外部からの衝撃に対して保護する容器である。また、図３Ａに示すように、保冷容器として携行するための取っ手部１ｂを有する。材質は衝撃に強く、携行性を考慮して、重量の軽いものが好適である。例えば、材質は未発泡プラスチックが適しているが、プラスチックに限らず、木、もしくは金属等でもよい。
【００１９】  図１に示すように、内箱２は、一升瓶３と保冷剤４に掛かる外部からの衝撃を緩和し、外部からの熱を断熱する容器である。また、一升瓶３と保冷剤４を収納、および保持可能な形状を有する。携行性を考慮し、重量は軽いものが好適である。例えば、材質は発泡プラスチックが適しているが、空気等の気体を内包する材料や形状等であればよい。
【００２０】  図１に示すように、一升瓶３は、液体が一升瓶３内に注入され、開口部３ａを栓で封入したものである。一升瓶３内の液体には日本酒等の清酒等が挙げられるが、洋酒やジュース、醤油等でもよい。
【００２１】  図１に示すように、保冷材４は、蓄冷材である。蓄冷材は、高吸水性樹脂や防腐剤、安定剤等を添加した水等を容器内に封入したものである。
【００２２】  図１および図２、図３Ａに示すように、一升瓶３の形状に則した凹部を有する内箱本体部２０は外箱本体部１０内に配置される。一升瓶３の形状に則した凹部を有する内箱蓋２１は、外箱蓋１１内に配置される。外箱蓋１１はヒンジ１ａを介して外箱本体部１０に連結され、開閉可能となる。ヒンジ１ａの対面側には、外箱本体部１０と外箱蓋１１を閉じた状態で保持できるロック機構５を有する。内箱本体部２０により一升瓶３と保冷剤４が収納可能な形状が設けられ、一升瓶３と保冷剤４を収納する。内箱蓋２１は、外箱本体部１０と外箱蓋１１を閉じたときに、一升瓶３を保持する形状を有する。外箱本体部１０と外箱蓋１１を閉じたとき、保冷容器内の一升瓶３と保冷剤４は、外部からの衝撃を緩和し、外部からの熱を断熱する内箱本体部２０と内箱蓋２１に周囲を包囲され、かつ、内箱本体部２０と内箱蓋２１は外部からの衝撃に対して、耐衝撃性を有する外箱本体部１０と外箱蓋１１に周囲を包囲される二重箱構造となるため、一升瓶３と保冷剤４は外部からの衝撃に対して保護され、外部からの熱に対して断熱性を有する。また、ヒンジ１ａは外箱本体部１０の左側に備えられているが、右側や上側、下側に位置してもかまわない。さらに、ロック機構５は、外箱本体部１０と外箱蓋１１を閉じた状態を保持可能であれば、ヒンジ１ａの対面側以外に位置してもかまわない。なお、ヒンジ１ａとロック機構５により、外箱本体部１０と外箱蓋１１は閉じた状態を維持可能に構成されているが、例えば、ヒンジ１ａをロック機構５に置き換え、保冷容器の両側面にロック機構５を備えることで、外箱本体部１０と外箱蓋１１を閉じた状態を維持可能な構成としてもかまわない。
【００２３】  図３Ｂに示すように、保冷容器内に一升瓶３と保冷剤４を収納し、外箱本体部１０と外箱蓋１１を閉じ、一升瓶３の開口部３ａを上に向けて直立にした状態で、取っ手部１ｂは、一升瓶３と保冷剤４を収納した保冷容器の重心７の直上に位置するため、取っ手部１ｂを手を握り、保冷容器を携行する際に安定した携行が可能となる。また、外箱本体部１０と外箱蓋１１は、一升瓶３の長手方向に分割されるため、外箱蓋１１を開け、保冷容器内から一升瓶３を出し入れすることが容易である。さらに、図３Ｃに示すように、保冷容器底部の分割境界１ｃは、一升瓶の重心３ｂが外箱本体部１０側に位置するように分割されるため、保冷容器を直立した状態で外部蓋１１を開けたときに、保冷容器内の一升瓶３が容易に落下し難く構成されている。なお、外箱本体部１０と外箱蓋１１の分割境界は、保冷容器の長手方向と平行な直線で分割されているが、前記機能を満たす範囲であれば、直線である必要はない。
【００２４】  図２に示すように、外箱本体部１０の上部には、取っ手部１０ａを設ける。また、外箱蓋１１の上部には、取っ手部１１ａを設ける。外箱本体部１０と外箱蓋１１を閉じたときに、外箱本体部１０の取っ手部１０ａと外箱蓋１１の取っ手部１１ａにより、図３Ａに示すような取っ手部１ｂが形成される。該取っ手部１ｂは手を入れて、握ることが可能であるため、保冷容器が携行可能となる。また、取っ手部１ｂを手で握ることで外箱本体部１０と外箱蓋１１が閉じた状態を保持可能なため、不意に外箱本体部１０と外箱蓋１１が開いて保冷容器内から一升瓶３が落下し難く構成されている。なお、図３Ｂに示すように、前記取っ手部１ｂは、一升瓶３の開口部３ａの上方に位置し、外箱本体部１０の取っ手部１０ａと外箱蓋１１の取っ手部１１ａを合わせて手で握ることが可能な形状であれば、図３Ａに示すような形状に限らない。
【００２５】  図３Ａに示すように、外箱蓋１１の表面に矩形の凹部１１ｂを設ける。外箱蓋１１の凹部１１ｂに商品説明等のラベル６を貼り付けることで、保冷容器内から一升瓶３を取出すことなく、一升瓶３の内容物が確認可能となる。なお、前記の凹部１１ｂは商品説明等のラベル６を貼り付け可能な形状であれば、前記のような形状に限らない。また、商品説明等のラベル６は、外箱本体部１０と外箱蓋１１を閉じている状態で確認可能なら、必ずしも外箱蓋１１に貼り付ける必要は無く、外箱本体部１０に凹部を設けて貼り付けてもよい。
【００２６】  以上本発明の実施態様について説明したが、本発明はその趣旨を逸脱しない範囲で前記の種々の代替例、修正又は変形を包含するものである。
【符号の説明】
【００２７】  １      外箱
１ａ    ヒンジ
１ｂ    取っ手部
１ｃ    保冷容器底部の分割境界
１０    外箱本体部
１０ａ  取っ手部
１１    外箱蓋
１１ａ  取っ手部
１１ｂ  凹部
２      内箱
２０    内箱本体部
２１    内箱蓋
３      一升瓶
３ａ    開口部
３ｂ    一升瓶の重心
４      保冷剤
５      ロック機構
６      ラベル
７      一升瓶と保冷剤を収納した保冷容器の重心
【図１】
2017190185.tif 000003
【図２】
2017190185.tif 000004
【図３】
2017190185.tif 000005